(57)【要約】【課題】尿が粒状物に付着して残留することで悪臭が発生してしまうことを抑制する。【解決手段】動物が排尿する支持台（３）の底面（ＳＵＦ）には、上記動物の尿を通過させるメッシュ（３３）が形成されているとともに、メッシュ（３３）に向って延在する溝（３１）が形成されており、支持台（３）の底面（ＳＵＦ）は、メッシュ（３３）の側が低くなる傾斜構造を有しており、溝（３１）の溝幅（ｗ）は、底面（ＳＵＦ）に散布される猫砂（８）の粒径（ｄ）よりも小さい。【選択図】図２
2017153402.tif 000002
【特許請求の範囲】
【請求項１】
動物が排尿する支持台を備えた動物用トイレであって、
上記支持台の底面には、上記動物の尿を通過させる孔部が形成されているとともに、上記孔部に向って延在する溝が形成されており、
上記支持台の底面は、上記孔部の側が低くなる傾斜構造を有しており、
上記溝の溝幅は、上記底面に散布される粒状物の粒径よりも小さいことを特徴とする動物用トイレ。
【請求項２】
上記溝の溝幅は、上記溝の底に向うにつれて小さくなっていることを特徴とする請求項１に記載の動物用トイレ。
【請求項３】
上記溝の溝幅は、上記孔部に近づくにつれて広くなっていることを特徴とする請求項１または２に記載の動物用トイレ。
【請求項４】
上記底面に複数のリブが形成されており、上記複数のリブの間に上記溝が形成されており、
上記リブの天面が、上記溝が延在する方向に沿って凹凸を為して湾曲していることを特徴とする請求項１から３までの何れか１項に記載の動物用トイレ。
【請求項５】
上記底面に複数のリブが形成されており、上記複数のリブの間に上記溝が形成されており、
上記リブの天面の高さが、上記孔部に向かうにつれて低くなっていることを特徴とする請求項１から３までの何れか１項に記載の動物用トイレ。
【請求項６】
上記底面に複数のリブが形成されており、上記複数のリブの間に上記溝が形成されており、
上記リブが、上記孔部まで延在していることを特徴とする請求項１から５までの何れか１項に記載の動物用トイレ。
【発明の詳細な説明】
【技術分野】
【０００１】
本発明は、動物が排尿する支持台を備えた動物用トイレに関する。
【背景技術】
【０００２】
従来、室内で飼育される猫や犬などの動物用トイレとして、動物が排尿する支持台を備えるものがある。また、このような支持台の底面に動物の尿を通過させる目的で複数の孔やメッシュを形成したものがある。例えば、特許文献１には、ペットの排泄液を通過させることが可能な簀の子（支持台に相当）を備えたペット用トイレが開示されている。
【先行技術文献】
【特許文献】
【０００３】
【特許文献１】特開２０１２−１００５７７号公報（２０１２年５月３１日公開）
【発明の概要】
【発明が解決しようとする課題】
【０００４】
上記特許文献１に開示されたペット用トイレでは、複数の孔が簀の子の底面全体に亘って形成されているが、この複数の孔の形成範囲を底面の一部に限った場合、複数の孔の形成範囲以外の部分は、平面部となる。広い平面部が存在する支持台の底に猫砂などの粒状物を散布した場合、平面部の尿が流れるところに粒状物が存在することになるため、尿が粒状物に付着したまま流れを妨げられて残留し、悪臭が発生し易くなるという問題点がある。
【０００５】
本発明は、上記の問題点に鑑みてなされたものであり、その目的は、尿が粒状物に付着して残留することで悪臭が発生してしまうことを抑制することができる動物用トイレを実現することにある。
【課題を解決するための手段】
【０００６】
上記の課題を解決するために、本発明の一態様に係る動物用トイレは、動物が排尿する支持台を備えた動物用トイレであって、上記支持台の底面には、上記動物の尿を通過させる孔部が形成されているとともに、上記孔部に向って延在する溝が形成されており、上記支持台の底面は、上記孔部の側が低くなる傾斜構造を有しており、上記溝の溝幅は、上記底面に散布される粒状物の粒径よりも小さいことを特徴としている。
【発明の効果】
【０００７】
本発明の一態様によれば、尿が粒状物に付着して残留することで悪臭が発生してしまうことを抑制するという効果を奏する。
【図面の簡単な説明】
【０００８】
【図１】本発明の実施形態１に係るペット用トイレの分解斜視図である。
【図２】（ａ）は、本発明の実施形態１に係る支持台の上面図であり、（ｂ）は、上記支持台のＡ−Ａ断面の断面図である。
【図３】（ａ）は、本発明の実施形態１に係る支持台の部分断面図であり、（ｂ）は、本発明の実施形態２に係る支持台の部分断面図である。
【図４】本発明の実施形態３に係る支持台の上面図である。
【図５】（ａ）本発明の実施形態４に係るペット用トイレの断面図であり、（ｂ）は、本発明の実施形態５に係るペット用トイレの断面図である。
【図６】本発明の実施形態６に係る支持台の上面図である。
【発明を実施するための形態】
【０００９】
本発明の実施の形態について図１〜図６に基づいて説明すれば、次の通りである。以下、説明の便宜上、特定の実施形態にて説明した構成と同一の機能を有する構成については、同一の符号を付記し、その説明を省略する場合がある。
【００１０】
〔実施形態１〕
図１は、本発明の実施形態１に係るペット用トイレ（動物用トイレ）１の分解斜視図である。同図に示すように、ペット用トイレ１は、カバー２、支持台３、本体容器４、重量計５、排泄トレー６およびスライド７を備える。
【００１１】
カバー２は、ペット用トイレ１に乗った動物の３つの側面を覆うカバーである。
【００１２】
支持台３は、動物を支持する台であり、動物がそこに乗り、排泄または排尿をする台である。支持台３の底面ＳＵＦには動物の排泄液（ここでは尿）を通過させるメッシュ（孔部）３３が形成されているとともに、メッシュ３３に向って延在する溝３１が複数形成されている。また、支持台３の底面ＳＵＦには、複数のリブ３２が形成されており、上述した溝３１は、互いに隣接する複数のリブ３２の間に形成されている。支持台３の底面ＳＵＦにおいて、メッシュ３３は、紙面に対して右斜め上方向に中央からやや外れた位置に形成されている。なお、支持台３の底面ＳＵＦにおけるメッシュ３３の形成位置は、上記の位置に限定されず、任意の位置に形成することができる。例えば、メッシュ３３を底面ＳＵＦの中央付近に形成しても良い。また、本実施形態の支持台３では、メッシュ３３の周りには、溝３１およびリブ３２が形成されていない平面部が存在している。なお、この平面部の形成範囲は、平面部上で尿が粒状物に付着して残留することを回避するために、あまり広くならないようにすることが好ましい。なお、支持台３が支持する別の部材に動物が載る構成であってもよい。
【００１３】
なお、支持台３には、メッシュ３３の代わりに、排泄物が通過する孔が形成されていてもよい。また、支持台３の底面ＳＵＦは、メッシュ３３の側が低くなる傾斜構造を有している。より具体的には、支持台３の溝３１が形成された面は、メッシュ３３に向って徐々に低くなるように傾斜している。このため、動物の排泄物（ここでは尿）は、溝３１を伝ってメッシュ３３に流れ、メッシュ３３を通過して、メッシュ３３の下に配置される排泄トレー６の上に落下する。ここでは、メッシュ３３は、液体は通過させるが、糞および動物が咥えてきた物体（おもちゃ）等は通過させない。
【００１４】
また、支持台３は、本実施形態では外形が略矩形で、凹型の容器のような形状であるが、支持台３の形状は任意である。
【００１５】
本体容器４は、カバー２と、支持台３とを支持する。本体容器４の底部には、紙面に対して右斜め上方向に中央からやや外れた位置に穴が形成されている。この穴の位置は、支持台３におけるメッシュ３３の形成位置と対応している。
【００１６】
また、支持台３の底面ＳＵＦは、撥水性を有していても良い。これにより、支持台３の底面ＳＵＦに排出液が残留しにくくなる。
【００１７】
排泄トレー６は、支持台３におけるメッシュ３３の下に配置される、排泄物を受ける部材である。排泄トレー６が受ける範囲は、支持台３のメッシュ３３が形成された領域を含む（該領域より広い）。排泄トレー６は、スライド７に装着された状態で、本体容器４の側面に形成された穴から挿入および抜き取られることができる。
【００１８】
重量計５（の凸部）は、本体容器４の底部の穴を貫通して排泄トレー６に接触し、排泄トレー６を支持する。重量計５は、例えば、ロードセルを含む。重量計５は、排泄物を含む排泄トレー６の重量を計測する。
【００１９】
次に、図２の（ａ）は、本発明の実施形態１に係る支持台３の上面を示す。また、図２の（ｂ）は、図２の（ａ）に示す支持台３のＡ−Ａ断面の断面図である。
【００２０】
図２の（ａ）に示すように、複数の溝３１は、それぞれ、上下方向、左右方向、右斜め上方向、または右斜め下方向に沿って、放射状にメッシュ３３に向って延在している。図２の（ａ）において、ｗは、溝３１の幅である溝幅を示している。また、猫砂８は、支持台３の底面ＳＵＦ上に散布される粒状物の一例である。なお、粒状物は猫砂８に限定されない。また、溝３１の溝幅ｗは、猫砂８の粒径ｄよりも小さい。なお、猫砂８としては、例えば撥水性を有する礫、砂又はガラスビーズ等、色々な種類の猫砂８を用いることができる。
【００２１】
次に、図３の（ａ）は、支持台３の部分断面図である。同図に示すように、本実施形態の支持台３では、溝３１の断面形状がＶ字形状となっており、溝３１の溝幅が、溝３１の底に向うにつれて小さくなっている。これにより、溝３１の断面を矩形とした場合における溝の底の２箇所の角部が無くなるため、尿が溝３１を伝って流れ易くなる。これにより尿の残留を抑制することができる。
【００２２】
（ペット用トイレ１の効果）
ペット用トイレ１によれば、支持台３の底面ＳＵＦに形成された溝３１の溝幅ｗが、猫砂８の粒径ｄよりも小さいため、猫砂８を支持台３の底面ＳＵＦに散布した場合に、溝３１が猫砂８で埋まることがなく、猫砂８と溝３１との間に隙間ができる。このため、動物からの尿は、猫砂８と干渉してもそのまま残留せず、上記隙間を介して溝３１に流れ易くなる。また、支持台３の底面ＳＵＦは、メッシュ３３の側が低くなる傾斜構造を有しているため、溝３１に流れた尿は、溝３１を伝ってメッシュ３３に集まり落下する。このため、尿が猫砂８に付着して残留することで悪臭が発生してしまうことを抑制することができる。
【００２３】
〔実施形態２〕
次に、図３の（ｂ）に基づき、本発明の実施形態２に係る支持台３ａについて説明する。図３の（ｂ）は、支持台３ａの部分断面図である。支持台３ａの底面ＳＵＦには、複数のリブ３２ａが形成されており、互いに隣接する複数のリブ３２ａの間に溝３１ａが形成されている。
【００２４】
また、本実施形態の支持台３ａは、溝３１ａの溝幅が、溝３１ａの底に向うにつれて小さくなっている点で上述した支持台３の溝３１と共通しているが、溝３１ａの断面形状が円弧形状となっている点で、上述した実施形態１の支持台３と異なっている。支持台３ａの溝構造によれば、溝３１ａの断面を矩形とした場合における溝の底の２箇所の角部が無くなるため、尿が溝３１ａを伝って流れ易くなる。これにより尿の残留を抑制することができる。
【００２５】
〔実施形態３〕
次に、図４に基づき、本発明の実施形態３に係る支持台３ｂについて説明する。図４は、支持台３ｂの上面図である。支持台３ｂの底面ＳＵＦには、複数のリブ３２ｂが形成されており、互いに隣接する複数のリブ３２ｂの間に溝３１ｂが形成されている。
【００２６】
また、本実施形態の支持台３ｂは、溝３１ｂの溝幅が、メッシュ３３に近づくにつれて広くなっている点で、上述した実施形態１の支持台３と異なっている。また、別の観点で見れば、支持台３ｂでは、互いに隣接するリブ３２ｂ同士の間隔が、メッシュ３３に近づくにつれて広くなっている。
【００２７】
支持台３ｂによれば、溝３１ｂの溝幅が、メッシュ３３に近づくにつれて広くなっているため、尿が溝３１ｂを伝ってメッシュ３３に流れ易くなる。
【００２８】
〔実施形態４〕
次に、図５の（ａ）に基づき、本発明の実施形態４に係る支持台３ｃについて説明する。図５の（ａ）は、本発明の実施形態４に係るペット用トイレ（動物用トイレ）の断面図である。
【００２９】
本実施形態の支持台３ｃは、底面ＳＵＦに複数のリブ３２ｃが形成されており、複数のリブ３２ｃの間に溝が形成されており、リブ３２ｃの天面が、上記溝が延在する方向に沿って凹凸を為して湾曲している。より具体的には、本実施形態の支持台３ｃでは、リブ３２ｃの天面が波型になっている。
【００３０】
リブ３２ｃによれば、尿は、リブ３２ｃの天面において、凸側から凹側に流れる。このため、尿が、リブ３２ｃの天面に付着して残留することを抑制することができる。
【００３１】
〔実施形態５〕
次に、図５の（ｂ）に基づき、本発明の実施形態５に係る支持台３ｄについて説明する。図５の（ａ）は、本発明の実施形態５に係るペット用トイレ（動物用トイレ）の断面図である。
【００３２】
本実施形態の支持台３ｄは、底面ＳＵＦに複数のリブ３２ｄが形成されており、複数のリブ３２ｄの間に溝が形成されており、リブ３２ｄの天面の高さが、メッシュ３３に向かうにつれて低くなっている（尿が流れる上流側の方が、下流側よりも高い）。
【００３３】
リブ３２ｄによれば、リブ３２ｄの天面に流れた尿がメッシュ３３に向って流れる。このため、尿がメッシュ３３に流れ易くなる。
【００３４】
〔実施形態６〕
次に、図６に基づき、本発明の実施形態６に係る支持台３ｅについて説明する。図６は、支持台３ｅの上面図である。
【００３５】
本実施形態の支持台３ｅは、底面ＳＵＦに複数のリブ３２ｅが形成されており、複数のリブ３２ｅの間に溝３１ｅが形成されており、リブ３２ｅが、メッシュ３３（またはメッシュ３３の上）まで延在している。すなわち、本実施形態では、実施形態１の支持台３のメッシュ３３の周りに存在していた平面部が存在していない。このため、支持台３ｅによれば、リブ３２ｅの天面に流れた尿がメッシュ３３に流れ易くなる。なお、メッシュ３３の上にリブ３２ｅを形成した場合は、メッシュ３３上では、溝３１ｅの底を抜くようにする。
【００３６】
なお、上述した実施形態２〜６の支持台３ａ〜３ｅのそれぞれは、何れもペット用トイレ１の支持台３と置き換えることができる。
【００３７】
なお、上記各実施形態において動物用トイレ（ペット用トイレ１）は、重量計によって排泄物の重量を計測できるものとして説明をしたが、本発明において排泄物の重量を計測する機能は必須ではない。
【００３８】
〔まとめ〕
本発明の態様１に係る動物用トイレは、動物が排尿する支持台を備えた動物用トイレであって、上記支持台の底面には、上記動物の尿を通過させる孔部が形成されているとともに、上記孔部に向って延在する溝が形成されており、上記支持台の底面は、上記孔部の側が低くなる傾斜構造を有しており、上記溝の溝幅は、上記底面に散布される粒状物の粒径よりも小さい構成である。
【００３９】
上記構成によれば、支持台の底面に形成された溝の溝幅が、粒状物の粒径よりも小さいため、粒状物を支持台の底面に散布した場合に、溝が粒状物で埋まることがなく、粒状物と溝との間に隙間ができる。このため、動物からの尿は、粒状物と干渉してもそのまま残留せず、上記隙間を介して溝に流れ易くなる。また、支持台の底面は、孔部の側が低くなる傾斜構造を有しているため、溝に流れた尿は、溝を伝って孔部に集まり落下する。このため、尿が粒状物に付着して残留することで悪臭が発生してしまうことを抑制することができる。
【００４０】
本発明の態様２に係る動物用トイレは、上記態様１において、上記溝の溝幅は、上記溝の底に向うにつれて小さくなっていても良い。
【００４１】
上記構成によれば、溝の断面を矩形とした場合における溝の底の２箇所の角部が無くなるため、尿が溝を伝って流れ易くなる。これにより尿の残留を抑制することができる。
【００４２】
本発明の態様３に係る動物用トイレは、上記態様１または２において、上記溝の溝幅は、上記孔部に近づくにつれて広くなっていても良い。
【００４３】
上記構成によれば、尿が溝を伝って孔部に流れ易くなる。
【００４４】
本発明の態様４に係る動物用トイレは、上記態様１〜３の何れかにおいて、上記底面に複数のリブが形成されており、上記複数のリブの間に上記溝が形成されており、上記リブの天面が、上記溝が延在する方向に沿って凹凸を為して湾曲していても良い。
【００４５】
上記構成によれば、尿は、リブの天面において、凸側から凹側に流れる。このため、尿が、リブの天面に付着して残留することを抑制することができる。
【００４６】
本発明の態様５に係る動物用トイレは、上記態様１〜３の何れかにおいて、上記底面に複数のリブが形成されており、上記複数のリブの間に上記溝が形成されており、上記リブの天面の高さが、上記孔部に向かうにつれて低くなっていても良い。
【００４７】
上記構成によれば、リブの天面に流れた尿が孔部に向って流れる。このため、尿が孔部に流れ易くなる。
【００４８】
本発明の態様６に係る動物用トイレは、上記態様１〜５の何れかにおいて、上記底面に複数のリブが形成されており、上記複数のリブの間に上記溝が形成されており、上記リブが、上記孔部まで延在していても良い。
【００４９】
上記構成によれば、リブの天面に流れた尿が孔部に流れ易くなる。
【００５０】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５１】
１    ペット用トイレ（動物用トイレ）
３，３ａ〜３ｅ  支持台
８    猫砂（粒状物）
３１，３１ａ，３１ｂ，３１ｅ  溝
３２，３２ａ〜３２ｅ  リブ
３３    メッシュ（孔部）
ｄ    粒径
ＳＵＦ    底面
ｗ    溝幅
【図１】
2017153402.tif 000003
【図２】
2017153402.tif 000004
【図３】
2017153402.tif 000005
【図４】
2017153402.tif 000006
【図５】
2017153402.tif 000007
【図６】
2017153402.tif 000008